(57)【要約】【課題】乳首とおしゃぶりシールドとを備えたおしゃぶりを格納するための容器であって、固定クリップとおしゃぶりストラップとが設けられており、おしゃぶりが、固定クリップを備えたおしゃぶりストラップに取り付けられている形式のものを改良して、取り扱いやすいものを提供することである。【解決手段】容器が、固定クリップとおしゃぶりとの間でおしゃぶりストラップに固定可能であるか、または固定されている。【選択図】図１
0003102904.tif 000002
【実用新案登録請求の範囲】
【請求項１】
乳首とおしゃぶりシールドとを備えたおしゃぶりを格納するための容器であって、固定クリップとおしゃぶりストラップとが設けられており、前記おしゃぶりが、前記固定クリップを備えた前記おしゃぶりストラップに取り付けられている形式のものにおいて、
当該容器が、前記固定クリップと前記おしゃぶりとの間で前記おしゃぶりストラップに固定可能であるか、または固定されていることを特徴とする、おしゃぶりを格納するための容器。
【請求項２】
当該容器が、前記おしゃぶりストラップを案内するための少なくとも１つのブラケットを備えている、請求項１記載の容器。
【請求項３】
当該容器が、前記おしゃぶりストラップを案内するための２つのブラケットを備えている、請求項２記載の容器。
【請求項４】
当該容器が、乳首収容スペースを備えており、該乳首収容スペースが、外側に通じる貫通開口を備えており、おしゃぶりの格納状態で、乳首が、当該容器に収納されていて、かつおしゃぶりシールドが、当該容器の外側に位置するようになっている、請求項１記載の容器。
【請求項５】
当該容器が、旋回可能に相互結合された、実質的に同形の２つの容器半部を備えている、請求項１記載の容器。
【請求項６】
前記２つの容器半部が、上からみて、容器分割平面に対して平行に延びる断面で実質的に矩形を有していて、かつ２つの長辺と２つの短辺とを備えており、２つの容器半部を相互結合する旋回軸が、短辺の１つに設けられている、請求項５記載の容器。
【請求項７】
当該容器が、乳首収容スペースを備えており、該乳首収容スペースが、外側に通じる貫通開口を備えており、おしゃぶりの格納状態で、乳首が、当該容器に収容されていて、かつおしゃぶりシールドが、当該容器の外側に位置するようになっており、前記貫通開口が、容器の閉鎖状態で、前記旋回軸とは反対側に設けられていて、かつ前記乳首が前記おしゃぶりシールドから出発する位置において、実質的に前記乳首の横断面に相当する大きさを有している、請求項６記載の容器。
【請求項８】
少なくとも１つの容器半部の内側に、容器半部の短辺に対して実質的に平行に延びる少なくとも１つのウェブが設けられており、乳首が当該容器に収容されている状態で、該ウェブが、少なくとも部分的におしゃぶりを挟み付けるようになっている、請求項６または７記載の容器。
【請求項９】
少なくとも１つのウェブが、前記２つの容器半部のそれぞれに設けられており、これらのウェブが、互いに平行に延びていて、かつ容器の閉鎖状態で相互間隔を有する縁部を備えている、請求項８記載の容器。
【請求項１０】
前記旋回軸に隣接して当該容器に複数のグリップ突出部が設けられていて、これらのグリップ突出部が、前記旋回軸に対して実質的に平行に延びていて、かつ当該容器の分割平面と鋭角を成している、請求項６記載の容器。
【請求項１１】
前記グリップ突出部と前記分割平面の成す前記鋭角が、３０°から５０°までの角度である、請求項１０記載の容器。
【請求項１２】
当該容器が、分割平面を備えており、少なくとも一方の容器半部が、少なくとも１つのラッチウェブを備えており、該ラッチウェブが、当該容器の閉鎖状態で前記分割平面を越えて突出していて、かつ別の一方の容器半部の外側に係合する、請求項５記載の容器。
【請求項１３】
当該容器が、完全に一体的なプラスチック材料から成っている、請求項１記載の容器。
【請求項１４】
当該容器のプラスチック材料が、ポリプロピレンである、請求項１３記載の容器。
【考案の詳細な説明】
【技術分野】
【０００１】
本考案は、乳首とおしゃぶりシールドとを備えたおしゃぶりを格納するための容器であって、おしゃぶりが、固定クリップを備えたおしゃぶりストラップに取り付けられている形式のものに関する。
【背景技術】
【０００２】
固定クリップを備えたおしゃぶりストラップを介してたとえば子供服に固定されたおしゃぶりの乳首が汚れないようにするために、非使用状態でおしゃぶりを格納する様々な容器が公知である。
【０００３】
たとえばドイツ連邦共和国特許公開第１９７０２４５５号明細書によって、２つの保護カバーを備えた容器が公知であり、これらの保護カバーは互いに接近旋回可能であり、かつばねによって自動的に閉鎖可能である。
【０００４】
さらに米国特許第５９４８００３号明細書から、おしゃぶりストラップに取り付けられたおしゃぶりが既に公知であり、ここでは固定クリップが、非使用状態で乳首をカバーするのに用いられる。この場合非使用状態でおしゃぶりの取り付けと汚れからの保護とを同時に実施することはできない、という欠点が存在する。さらに汚染物質および汚れ粒子が、固定クリップに乳首を収容する際に、以前に固定クリップを挟み付けた側から乳首に移される。
【０００５】
さらにまた米国特許第５１５６６１７号明細書から、枢着式に相互結合されたボトムプレートとカバーユニットとから成るおしゃぶりボックスが既に公知である。ボトムプレートの背面に固定クリップが設けられており、この固定クリップによっておしゃぶりボックスは子供服に固定することができる。さらにボトムプレートにおしゃぶりストラップの一方の端部が取り付けられており、おしゃぶりストラップの他方の端部にはおしゃぶりが設けられている。しかしながら直接的に子供服に固定されたおしゃぶりボックスは子供にとって邪魔であり、さらにまた直接的に子供の体に固定されたおしゃぶりボックスの開閉は非常に不都合なものとなっている、という欠点が存在する。その上前掲米国特許第５１５６６１７号明細書にみられるおしゃぶりボックスは比較的大きくて、取り扱いにくいものである。
【特許文献１】ドイツ連邦共和国特許公開第１９７０２４５５号明細書
【特許文献２】米国特許第５９４８００３号明細書
【特許文献３】米国特許第５１５６６１７号明細書
【考案の開示】
【考案が解決しようとする課題】
【０００６】
したがって本考案の課題は、冒頭で述べたような形式の、おしゃぶりを格納するための容器を改良して、取り扱いやすいものを提供することである。
【０００７】
特に構造的に簡単に製作可能で、比較的小さく、子供の邪魔にならないように格納できるものを提供し、おしゃぶりが簡単な形式で収容可能で、また同様に簡単に再び取出可能であるようにするのが望ましい。
【課題を解決するための手段】
【０００８】
この課題を解決するための本考案の装置によれば、容器が、固定クリップとおしゃぶりとの間でおしゃぶりストラップに固定可能であるか、または固定されている。
【考案の効果】
【０００９】
本考案のように構成されていると、おしゃぶりと固定クリップとの間でおしゃぶりストラップに容器を取り付けると、容器は直接的に子供の体と接触しないので、おしゃぶりは、従来の格納装置と比べて著しく簡単に容器に収容し、かつ容器から再び取り出すことができる。さらに容器は、同時に固定手段として用いられることがないので、おしゃぶり、特に乳首は、容器に収容されている間は汚染物質と接触しない。
【００１０】
容器を容器ストラップに簡単な形式で取り付けるために、有利には、容器が、おしゃぶりストラップを通して案内するための少なくとも１つ、有利には２つのブラケットを備えている。したがって容器は極めて簡単な形式でおしゃぶりストラップにつなぐことができ、しかも様々な位置でおしゃぶりストラップに取り付けることができる。
【００１１】
容器が乳首収容スペースを有しており、このスペースが外部に通じる貫通開口を備えており、この場合格納状態で、乳首が容器に収容されていて、かつおしゃぶりシールドが容器の外側に配置されていると、比較的小さく取り扱いやすいおしゃぶり容器が形成され、しかもこの容器は、非使用状態で乳首を汚染物質から確実に保護するようになっている。
【００１２】
容器の簡単な構成に関して有利には、旋回可能に相互結合された、実質的に同形の容器半部が設けられている。さらに旋回可能に相互結合された２つの容器半部は、簡単な形式で開閉可能で、使用者にとって快適な格納装置を提供する。
【００１３】
２つの容器半部が、上からみて、容器分割平面に対して平行に延びる断面で実質的に矩形を有していて、２つの容器半部を相互結合する旋回軸が矩形の短辺に設けられていると、容器は、縦断面で、実質的に乳首の延伸形状に対応する矩形の形状に形成され、したがって比較的きつく乳首を取り囲む小さな格納装置が形成される。
【００１４】
問題なく容器を開閉するため、また閉鎖状態でも容器の外側に向かって乳首をスムーズに案内するために、おしゃぶりシールドが容器の外側に配置されており、有利には、閉鎖状態で貫通開口が旋回軸とは反対側に設けられており、この貫通開口の大きさは、乳首がおしゃぶりシールドから出発するところの、乳首の横断面に実質的に相当するようになっている。
【００１５】
おしゃぶりをできるだけ確実に容器内で確保するため、かつおしゃぶりが不意に容器から抜け出るのを防止するために、有利には、少なくとも１つの容器半部の内側に少なくとも１つのウェブが設けられており、このウェブは、容器半部の短辺に対して実質的に平行に延びていて、かつ乳首の収容状態で、少なくとも部分的に乳首を挟み付ける。
【００１６】
両方の容器半部にそれぞれ少なくとも１つウェブが設けられており、これらのウェブが互いに平行に延びていて、ウェブの縁部が、容器の閉鎖状態で相互間隔を有して配置されていると、おしゃぶりは、容器の閉鎖状態で乳首を破損することなく容器に特に確実に格納される。
【００１７】
容器の開放を容易にするために、有利には、２つのグリップ突出部が旋回軸に隣接して容器に設けられており、これらのグリップ突出部は旋回軸に対して実質的に平行に延びていて、かつ容器の分割平面と鋭角、有利には３０°〜５０°の角度を成している。したがって２つのグリップ突出部を互いに接近するように押し合わせることによって、容器を簡単に開放して、おしゃぶりを容器から取り出すことができる。
【００１８】
少なくとも１つの容器半部が、少なくとも１つのラッチウェブを備えており、このラッチウェブは分割平面を越えて延びていて、かつ容器の閉鎖状態で別の容器半部の外側に係合し、容器の不意の開放を防止することができる。
【００１９】
簡単で経済的な生産のために、有利には、容器全体が一体的なプラスチック材料、特に有利にはポリプロピレンから成っている。
【考案を実施するための最良の形態】
【００２０】
次に本考案の実施の形態を図示の実施例を用いて詳しく説明する。
【００２１】
図１および図２には、乳首３とおしゃぶりシールド４とを備えたおしゃぶり２を格納するための容器１を示した。子供服やベビーカーなどにおしゃぶり２を固定するためにクリップ５が設けられており、このクリップ５はおしゃぶりストラップ６を介しておしゃぶり２と結合されている。非使用時に、たとえば子供が屈んだ際に、乳首３が周囲と無防備に接触しないようにするため、つまり非使用時におしゃぶりが汚れるのを防止するために、おしゃぶり２を格納するための容器１がおしゃぶりストラップ６に取り付けられている。
【００２２】
特に図３および図４から判るように、容器１は比較的小さくて使いやすく形成されているので、乳首３だけが収容状態で容器１の内側に位置しており、したがって乳首は汚れに対して保護されている。これに対しておしゃぶりシールド４は、おしゃぶり２の収容状態では、実質的に直方体の容器１の外側に位置している。
【００２３】
容器１の簡単な開閉のために、この容器１は２つの容器半部１´に分割されており、これらの容器半部１´は旋回軸を成すウェブ７を介して旋回可能に相互結合されている。直方体の容器１の、旋回軸７とは反対側の側面において、実質的に半円形の凹部８が各容器半部１´に設けられており、各凹部によって、図５に示したように、容器の閉鎖位置で貫通開口９が形成されており、貫通開口９の大きさは、実質的におしゃぶりシールド４から出発する乳首３の横断面に相当するようになっている。
【００２４】
乳首３が不意に容器１から抜け出すのを確実に防止するために、両容器半部１´内で、容器の短辺に対して平行に延びるウェブ１０が設けられており、これらのウェブ１０によって乳首３が幾分圧縮されて、挟み付けられた状態のまま容器１内で保持される。乳首３の過度の圧縮を回避するために、ウェブ１０の縁部は、容器１の閉鎖状態で相互間隔を有して位置しており、さらに２つのウェブ１０は中央の凹部１０´を備えており、この凹部１０´によって、２つのウェブ１０の相互間隔は中央に向かって増加している。
【００２５】
できるだけ簡単に容器１をおしゃぶりストラップ６に取り付けるために、ブラケット１１を形成するウェブ１２が、容器半部１´の長辺側に設けられているので、容器１は、おしゃぶりストラップ６をブラケット１１に通すだけの簡単な形式で、おしゃぶりストラップに取り付けることができる。図１に詳しく示したように、おしゃぶりストラップ６に沿った容器１の変位は、ブラケット１１をストラップが取り囲むように一方のおしゃぶりストラップ端部６´を取り付けることによって防止することができる。しかしながらおしゃぶりストラップ６に沿った容器の変位が所望されると、もちろんブラケットを取り囲まない簡単な取付も考えられる。
【００２６】
図６に詳しく示したように、実質的に直方体の容器１は、各容器半部１´で、旋回軸７に隣接してグリップ突出部１３を備えており、これらのグリップ突出部が旋回軸７に対して平行に延びているので、図６に示したように、容器１は、簡単な形式で、押圧力を矢印１４の方向で加えることによって開放することができる。グリップ突出部１３が容器半部１´の容器分割平面に対してほぼ５０°の傾斜で配置されていると、特に適当なレバー動作によって、容器は閉鎖状態になる。
【００２７】
さらに図６から判るように、一方の容器半部１´がラッチウェブ１５を備えており、このラッチウェブ１５は容器縁部を越えて延びており、このラッチウェブ１５は、容器１の閉鎖状態で別の一方の容器半部１´の外側に係合する。さらにラッチウェブ１５は、内側にラッチ突起１６を備えており、このラッチ突起１６は別の一方の容器半部１´に向いているので、閉鎖位置にある容器１の不意の開放は確実に防止される。
【図面の簡単な説明】
【００２８】
【図１】固定クリップとおしゃぶりとの間に配置された、おしゃぶりストラップに取り付けられた容器を示す側面図である。
【００２９】
【図２】図１の平面図である。
【００３０】
【図３】乳首を収容している容器を開放状態で示す斜視図である。
【００３１】
【図４】図３の平面図である。
【００３２】
【図５】乳首を収容している容器を閉鎖状態で示す断面図である。
【００３３】
【図６】開放位置ならびに閉鎖位置に旋回した状態で容器を示す側面図である。
【符号の説明】
【００３４】
１  容器、  １´  容器半部、  ２  おしゃぶり、  ３  乳首、  ４  おしゃぶりシールド、  ５  クリップ、  ６  おしゃぶりストラップ、  ６´  おしゃぶりストラップ端部、  ７  旋回軸、  ８  凹部、  ９  貫通開口、  １０  ウェブ、  １０´  中央凹部、  １１  ブラケット、  １２  ウェブ、  １３  グリップ突出部、  １４  矢印、  １５  ラッチウェブ、  １６  ラッチ突起
【図１】
0003102904.tif 000003
【図２】
0003102904.tif 000004
【図３】
0003102904.tif 000005
【図４】
0003102904.tif 000006
【図５】
0003102904.tif 000007
【図６】
0003102904.tif 000008